(57)【要約】【課題】所望の重量のバランス材をハサミ等を使って切り離す作業を必要とせずに簡易迅速に微妙な調整を要するゴルフクラブの重量バランスや重心バランスの調整作業を可能ならしめるゴルフクラブバランス調整用シートを提供することを目的とする。【解決手段】基部材４上に面積を異ならせることにより重量を相違させたバランス材０１〜２１２を備え、各々のバランス材の近傍には重量表示部５が設けられている。【選択図】      図１
2006158935.tif 000002
【特許請求の範囲】
【請求項１】
基部材上に剥離可能に設けられた一様な厚みの軟質金属シートを区画して種々の重さのバランス材が形成されて、所望の重さの前記バランス材を前記基部材から剥しゴルフクラブに貼付けることにより当該ゴルフクラブの重量バランスや重心バランスの調整が行えるようにしたことを特徴とするゴルフクラブバランス調整用シート。
【請求項２】
前記バランス材が、複数のサブバランス材により形成されて、ゴルフクラブの重量バランスや重心バランスの調整を行う際に、前記バランス材を前記基部材から剥して当該ゴルフクラブに貼付けて粗くバランス調整し、その後に微調整のために前記サブバランス材を適宜剥がすことができるようにしたことを特徴とする請求項１記載のゴルフクラブバランス調整用シート。
【請求項３】
前記バランス材が対称軸を有し、該対称軸上に前記サブバランス材が設けられていることを特徴とする請求項１又は２記載のゴルフクラブバランス調整用シート。
【請求項４】
前記バランス材が鉛を主材として形成されていることを特徴とする請求項１乃至３いずれか１項記載のゴルフクラブバランス調整用シート。
【請求項５】
前記バランス材の表面周縁部を曲面に形成したことを特徴とする請求項１乃至４いずれか１項記載のゴルフクラブバランス調整用シート。
【請求項６】
前記バランス材の重量を示す重量表示部を設けたことを特徴とする請求項１乃至５いずれか１記載のゴルフクラブバランス調整用シート。
【発明の詳細な説明】
【技術分野】
【０００１】
本発明は、ゴルフクラブの重量バランスや重心バランスのバランス調整に用いるバランス材を複数剥離可能に設けられたゴルフクラブバランス調整用シートに関する。
【背景技術】
【０００２】
ゴルフクラブは、個々のゴルファーに合わせて製造されるものではないため、それぞれのゴルファーに最適な重量バランスや重心バランスとなっていない。以下、重量バランスや重心バランスを総称して適宜バランスと記載する。
【０００３】
従来、このようなバランス不適合に鑑みて、テープ状またはシート状の鉛の薄片をゴルフクラブのヘッドやシャフトに貼着して、個々のゴルファーに応じたバランス調整が行えるようにする提案がなされている（特許文献１参照）。
【０００４】
この提案によれば、テープ状またはシート状の鉛の薄片を用いてバランス調整作業を行う際には、ハサミ等の刃物を用いて鉛片を切取り、それをゴルフクラブに貼付けてバランス調整するようになっている。
【０００５】
しかし、このようなバランス調整は、専門家に依頼する場合はともかく、アマチュアが自分で行う場合にはゴルフ場でのゲーム中や練習場での練習中にクラブを振ったときのバランス感覚に基づいて調整するため、ゲーム中等においても鉛の薄片を切取るための刃物を携帯しなければならない不自由さや不便さがあった。
【０００６】
また、アマチュアが鉛の薄片を切取る際に、所望の重さに切取ることは難しく、手間がかかるという問題点があった。
【０００７】
このような問題点に対してテープ状又はシート状の鉛の薄片に、切り目を入れてバランス材を形成し、これを剥して使えるようにしたものも提案されている。
【特許文献１】実開平２‐９４５７５号
【発明の開示】
【発明が解決しようとする課題】
【０００８】
しかしながら、テープ状又はシート状の鉛の薄片に、切り目を入れてバランス材を形成し、これを剥して使えるようにする提案では、バランス材の重量や形状が同じ重さであるため、微妙なバランス調整を行うことが難しい問題があった。
【０００９】
また、このようなバランス材をゴルフクラブのソール部等のスイング時に地面と擦るような部分に貼付けてバランス調整を行った場合、擦りにより剥がれが生じやすい問題があった。
【００１０】
即ち、スイング時にソール部等が地面を擦ると、バランス材の端部が剥がれることがある。上述したようにバランス材はシール構造になっているため、剥がれた部分を押圧して再付着させることにより修復は可能であるが、スイングにより剥がれた部分の粘着層に砂、泥、水等が付着して接着力が低下して修復が困難になることがあり、このような場合には既存のバランス材を剥離し、新しく貼り直す必要が生じる。
【００１１】
また、バランス調整はバランス材の重さや貼付け位置等の決定が感覚によるため、トライアンドエラーを繰り返して、最終的な重さや位置を決めることになる。
【００１２】
従って、一度貼付けたバランスシートを剥離して、別の重さや別の位置に貼付る作業が必要になるので、その手数も多くなり効率的な調整作業ができず、アマチュアにとっては難しい作業となる問題があった。
【００１３】
そこで、本発明は、上記従来の状況に鑑み、所望の重量のバランス材をハサミ等を使って切り離す作業を必要とせずに簡易かつ微妙な調整が迅速にできるようにしたゴルフクラブバランス調整用シートを提供することを目的とする。
【課題を解決するための手段】
【００１４】
上記課題を解決するために、請求項１に係る発明は、基部材上に剥離可能に設けられた一様な厚みの軟質金属シートを区画して種々の重さのバランス材が形成されて、所望の重さのバランス材を基部材から剥しゴルフクラブに貼付けることにより当該ゴルフクラブの重量バランスや重心バランスの調整が行えるようにしたことを特徴とする。
【００１５】
これにより、ハサミ等を使って切り離すことなく所望の重さのバランス材を剥がしてゴルフクラブに貼付けるだけでバランス調整ができ、バランス調整作業が容易になる。
【００１６】
また、請求項２に係る発明は、バランス材が、複数のサブバランス材により形成されて、ゴルフクラブの重量バランスや重心バランスの調整を行う際に、バランス材を基部材から剥して当該ゴルフクラブに貼付けて粗くバランス調整し、その後に微調整のためにサブバランス材を適宜剥がすことができるようにしたことを特徴とする。
【００１７】
これにより微妙なバランス調整が、短時間で容易に行うことが可能になる。
【００１８】
また、請求項３に係る発明は、バランス材が対称軸を有し、該対称軸上にサブバランス材が設けられていることを特徴とする。
【００１９】
これにより微妙な左右バランスの調整が、短時間で容易に行うことが可能になる。
【００２０】
また、請求項４に係る発明は、バランス材が鉛を主材として形成されていることを特徴とする。
【００２１】
これによりバランス調整が、簡単にできるようになる。
【００２２】
また、請求項５に係る発明は、バランス材の表面周縁部を曲面に形成したことを特徴とする。
【００２３】
これにより、擦れ等におけるバランス材の剥離を容易に抑制することができるようになる。
【００２４】
また、請求項６に係る発明は、バランス材の重量を示す重量表示部を設けたことを特徴とする。
【００２５】
これにより、所望するバランス材を容易に認識することができるようになる。
【発明の効果】
【００２６】
本発明によれば、基部材上に剥離可能に設けられた一様な厚みの軟質金属シートを区画して種々の重さのバランス材を１のシート状に形成したので、ゴルフクラブの重量バランスや重心バランスの調整を行う際に、ハサミ等を使って切り離すことなく所望の重さのバランス材を剥がしてゴルフクラブに貼付けるだけでバランス調整ができ、簡易、かつ、微妙なゴルフクラブのバランス調整用作業を行うことが可能となる。
【００２７】
また、サブバランス材を適宜剥離するだけで、微妙なバランス調整が極めて容易に行うことが可能になる。
【発明を実施するための最良の形態】
【００２８】
以下、本発明を詳しく説明する。
まず、本発明の実施の形態（１）について図１〜図５に基づき説明する。図１は実施の形態（１）にかかるゴルフクラブ用のバランス調整用シート１Ａの平面図、図２は図１におけるＡ‐Ａ矢視断面図、図３〜５はバランス材をクラブヘッドの裏面に貼り付けた際の状態を例示する図である。
【００２９】
図１に示すように実施の形態（１）にかかるゴルフクラブバランス調整用シート１Ａは、基部材４上に各種の重量からなるバランス材２０１〜２１２を備え、各々のバランス材２０１〜２１２の近傍には、例えば番号２０１のバランス材は３ｇのように該当するバランス材２０１の重量を示す重量表示部５が設けられている。この重量表示部５は、刻印又は印刷により行うことが可能である。
以下、バランス材２０１〜２１２の構成、作用、効果をバランス材２０１を例に説明する。
【００３０】
このバランス材２０１は、鉛等の軟質金属シートが粘着層３を介して基部材４上に剥離可能に設けられた状態で、型押刃を軟質金属シートに押圧して複数に区画形成することにより形成される。
【００３１】
そして、基部材４からバランス材２０１を剥がし、貼り付けるのみの作業で重量バランスや重心バランスのバランス調整を行うことができる。
なお、重心バランスは、ゴルフクラブ本来の重心位置をプレーヤのスイングバランス等に応じて調整するために行うバランス調整で、通常は重量バランスと共に調整される。
【００３２】
バランス材２０１は金属等の各種材料を用いることができ、特に可撓性及び高延性に優れる鉛を用いることが望ましい。また、粘着層３は様々な種類のものが考えられるが、例えば両面テープであってもよい。
【００３３】
各々のバランス材２０１は、異なる面積に応じた重量を持ち、重量表示部５により各々のバランス材２０１の重量が一目で確認できるため、所望の重量のバランス材２０１を視覚的に確認し、基部材４から剥がして用いることができる。
【００３４】
そして、各バランス材２０１は重さ順に並び、目的とする重量のバランス材２０１が一目で探し当てることが可能である。また、本例のバランス材２０１の周辺領域は基部材４のみであるため、バランス材２０１の周縁部Ｋで段差が生じ、バランス材２０１を基部材４から剥離する際に容易に剥離できるようになっている。
【００３５】
そして、図３に示すように、ゴルフクラブ６にバランス材２０１を貼着し、バランスの調整作業を行う。なお、バランス材２０１は、図４に示すように別々の場所に貼着することもできれば、図５に示すように重ねて貼り付けることも可能である。
【００３６】
特に、鉛のように可撓性及び高延性のある軟質金属シートを材料に用いると、重ね合わせた際に段差部分に生じる隙間は、該当する部分を強く押圧することにより容易に塞ぐことができ、剥がれ難くすることができる。
【００３７】
次に、実施の形態（２）について説明する。
図６は、実施の形態（２）にかかるゴルフクラブ用のバランス調整用シート１Ｂの平面図、図７はそのＢ‐Ｂ矢視断面図である。
【００３８】
図６に示すように、実施の形態（２）にかかるゴルフクラブバランス調整用シート１Ｂに設けられたバランス材２１３〜２２４は、いずれも重量が同じであるが、異なる面積を持っている。
【００３９】
このように、同じ重量で異なる面積にする方法としては、バランス材２１３〜２２４ごとに比重の重い金属を用いる方法も考えられるが、この実施の形態（２）では、図７に示すようにバランス材２１３〜２２４の厚みを変える。
以下、バランス材２１３〜２２４の構成、作用、効果をバランス材２１３を例に説明する。
【００４０】
この実施の形態（２）では、基部材４上の周辺領域７を各バランス材２１３と同じ軟質金属シートで剥離可能に形成し、周辺領域７を適宜切取り、基部材４から剥してゴルフクラブに貼付けることができるようにしている。これによって、極めて微妙な重量バランスの調整が必要な場合にも対応できるようにしている。
【００４１】
ここで、面積を同じくしつつ重量を相違させるには、軟質金属シート８を押圧し、各バランス材２１３を区画するための切込みを入れることにより達成される。この際、押圧力を調整しバランス材２１３の厚みを変化できる。このとき、押圧したことにより軟質金属層の密度変化が起きるが、その変化量は小さく、主に周辺領域にはみ出るため（はみ出し部分９）、面積が同じであれば、厚みに応じて重さを変えることができる。
【００４２】
次いで、実施の形態（３）について説明する。
図８は、実施の形態（３）にかかるゴルフクラブバランス調整用シート１Ｃの平面図、図９はそのＣ‐Ｃ矢視断面図である。
【００４３】
図８に示すように、この実施の形態（３）にかかるゴルフクラブバランス調整用シート１Ｃは、各バランス材２２５〜２３６の面積を変えることによって重量を変化させている点で、実施の形態（１）にかかるゴルフクラブバランス調整用シート１Ａと共通するが、図８に示すように基部材４上の周辺領域７が軟質金属シートで剥離可能に形成され、周辺領域を適宜切取り、基部材４から剥して該ゴルフクラブに貼付けることができるようにしている点で、実施の形態（１）とは異なる。
【００４４】
図８に示すように、この実施の形態（３）にかかるゴルフクラブバランス調整用シート１Ｃの製造方法としては、あらかじめ基部材４上に粘着層３を介して軟質金属シート８を積層し、次いで、所定の面積になるように切込みを入れてバランス材２２５〜２３６を区画形成する。
【００４５】
次いで、実施の形態（４）について説明する。
これまで説明した各実施の形態においては、バランス材は１枚物であった。このため貼り付けたバランス材が重すぎたり軽過ぎたりした場合には、貼り付けたバランス材を剥がして再度貼付る作業が必要になる不便さがあった。
【００４６】
そこで、本実施の形態では、これまで説明したようなバランス材を複数のサブバランス材により形成し、最初にゴルフクラブに貼付る際には、重めのバランス材を貼り付け、その後試し振りして重すぎる分に相当するサブバランス材を剥離することで微調整が容易にできるようにしたものである。
【００４７】
なお、ゴルフクラブバランス調整用シートにおける複数のバランス材の一部分を上述したサブバランス材からなるバランス材により形成することも可能である。
【００４８】
図１０は、バランス材２４０を複数の相似形のサブバランス材２４１〜２４６により形成した場合を示した図で、図１０（ａ）はその平面図、図１０（ｂ）はこのバランス材２４０をゴルフクラブに貼り付けて、サブバランス材２４１を剥離して微調整を行っている際の様子を示す図である。
【００４９】
なお、本発明はバランス材２４０を形成するサブバランス材２４１〜２４６の数について制限を受けるものではないが、余り数を多くして重量の小さいサブバランス材２４１〜２４６を多数形成すると、却って剥がれが起き易くなると共に、サブバランス材２４１〜２４６の剥離が細かい作業となる不都合が生じる。
【００５０】
このため、例えば３ｇのバランス材の場合には６枚のサブバランス材２４１〜２４６にして、各サブバランス材２４１〜２４６の重量を０．５ｇ均等になるように形成することが考えられる。このようにすると、サブバランス材２４１〜２４６を１枚づつ剥がすだけで０．５ｇずつ重量調整ができるようになり、バランス調整作業が非常に簡便になる。
【００５１】
また図１１は、同じくバランス材２５０をサブバランス材２５１，２５２により形成した場合であるが、この場合はサブバランス材２５１をナルト状の渦巻形状に形成し、その中心部に別のサブバランス材２５２を区画形成した際の平面図を示したものである。
【００５２】
バランス材２５０として鉛を用いる場合には、サブバランス材２５１の幅が狭いので、爪等を立てて切取ることが容易に行え、ゴルフのプレー中等においてもその場でバランス調整が可能になる。
【００５３】
なお、上述したと同様にサブバランス材２５１の幅を狭くしすぎると剥がれ易くなったり剥離作業が悪くなったりするので、１周当たり例えば０．５ｇになるように設定し、これを数回巻いたような構成が好ましい。
【００５４】
さらに、図１２は、同じくバランス材２６０をサブバランス材２６１〜２６３により形成した場合であるが、この場合には大きなサブバランス材２６２の周囲に小さなサブバランス材２６１が複数幾何学的対称性を持って形成されている点が相違している。
【００５５】
なお、サブバランス２６１は重量バランスに余り影響を与えないように、軽い重さにすることが好ましく、例えばバランス材２６０の重量が３．５ｇの場合には、サブバランス材２６３の重さを０．５ｇ、サブバランス材２６２の重さを２．２ｇとし、サブバランス２６１を１ｇとすることが例示できる。
【００５６】
そして、サブバランス材２６１を剥離すると重量バランスが変化するため、調整手順としては重量が少く感じる段階でサブバランス材２６１の剥離による重心バランスを調整することで、重心バランスと共に重量バランスを調整する。そして、重心バランスが調整できた段階で、未だ重い場合にはサブバランス材２６３を剥離して調整を行う。
【００５７】
このように小さいサブバランス材２６１を幾何学的対称点に設けることで、重量バランス的には満足できるが重心バランスについて不満が残るような場合に、その部分のサブバランス材２６１を剥離することで重心バランスの調整を容易に行うことができるようになる。
【００５８】
次いで、実施の形態（５）について説明する。
これまで説明した各実施の形態においては、重量表示部５をバランス材２０１の周囲近傍に印刷や刻印して形成する場合について説明したが、本発明はこれに限定されるものではなく、図１３に示すように、バランス材２０１の上に設けても良い。このようにバランス材２０１の上に設けることにより、今貼り付けているバランス材の重さを確認することができるようになる。
【００５９】
また、バランス材２０１の表面周縁部は略直角形状であったが、本発明はこれに限定されるものではなく、図１４に示すように、丸みを設けた曲面形成してもよい。
これは周縁部が直角であるとゴルフクラブをスイングした際に、擦ると剥がれが生じ易いのを抑制するためで、表面周縁部Ｋを丸くすることにより、引っかかり難くなり剥がれを抑制することが可能になる。
【００６０】
このように表面周縁部Ｋを丸くするには、図１５に示すような断面形状の型押刃２５を用いることにより可能になる。即ち、この型押刃２５の１の側面２６が丸く形成されて、押圧した際に当該側面２６が表面周縁部Ｋをその形状に塑性変形させることで形成する。
【００６１】
また、これまで説明したバランス材の形状として、ハート形等を例に説明したが、本発明はこれに限定されるものではなく、図１６に示すように、種々の形状のバランス材を用いることが可能であり、バランス材の表面に色彩、模様を印刷し、表面装飾効果を一層高めることも可能である。
【００６２】
形状及び色彩・模様は、好みに応じて選択可能であるが、少なくとも形状については、鋭利な角度を持つ部分があると、プレー中等に、その部分から剥がれ易くなるので好ましくない。
【図面の簡単な説明】
【００６３】
【図１】実施の形態（１）にかかるゴルフクラブ用のバランス調整用シートの平面図である。
【図２】図１のＡ‐Ａ断面図である。
【図３】実施の形態（１）にかかるバランス材をゴルフクラブに貼着した状態を示す図である。
【図４】実施の形態（１）にかかるバランス材をゴルフクラブに貼着した状態を示す図である。
【図５】実施の形態（１）にかかるバランス材をゴルフクラブに貼着した状態を示す図である。
【図６】実施の形態（２）にかかるゴルフクラブ用のバランス調整用シートの平面図である。
【図７】図６のＢ‐Ｂ断面図である。
【図８】実施の形態（３）にかかるゴルフクラブ用のバランス調整用シートの平面図である。
【図９】図８のＣ‐Ｃ断面図である。
【図１０】実施の形態（４）にかかるバランス材を相似形のサブバランス材により形成した場合の平面図である。
【図１１】実施の形態（４）にかかるバランス材をナルト状のサブバランス材により形成した場合の平面図である。
【図１２】実施の形態（４）にかかるバランス材を幾何学的対称性に形成された小さなサブバランス材と大きなサブバランス材により形成した場合の平面図である。
【図１３】実施の形態（５）にかかる重量表示部５をバランス材の上に形成した場合の平面図である。
【図１４】実施の形態（５）にかかるバランス材の周縁部に丸みを持たせた場合の断面図である。
【図１５】実施の形態（５）にかかるバランス材の周縁部に丸みを持たせる際に用いる型押刃の断面を例示する図である。
【図１６】実施の形態（５）にかかるバランス材の形状を例示する図である。
【符号の説明】
【００６４】
１Ａ〜１Ｃ  ゴルフクラブバランス調整用シート
３  粘着層
４  基部材
５  重量表示部５
６  ゴルフクラブ
７  周辺領域
８  軟質金属シート
９  はみ出し部分
２５  型押刃
２０１〜２１２，２１３〜２２４，２２５〜２３６，２４０，２５０，２６０  バランス材
２４１〜２４６，２５１，２５２，２６１〜２６３  サブバランス材
【図１】
2006158935.tif 000003
【図２】
2006158935.tif 000004
【図３】
2006158935.tif 000005
【図４】
2006158935.tif 000006
【図５】
2006158935.tif 000007
【図６】
2006158935.tif 000008
【図７】
2006158935.tif 000009
【図８】
2006158935.tif 000010
【図９】
2006158935.tif 000011
【図１０】
2006158935.tif 000012
【図１１】
2006158935.tif 000013
【図１２】
2006158935.tif 000014
【図１３】
2006158935.tif 000015
【図１４】
2006158935.tif 000016
【図１５】
2006158935.tif 000017
【図１６】
2006158935.tif 000018